(57)【要約】      （修正有）【課題】薬の使用時に電流を流し、該電流を検知して薬の使用（服用）情報を得ることができるＰＴＰ包装構造を提供する。【解決手段】ＰＴＰ包装体２１の薬取出し口２５の対向部に、導電体間に絶縁体１を介在させ、薬の取出し時に前記導電体間から除去されて該導電体間に通電回路を構成する。薬の取出し（服用）情報は、該ＰＴＰ包装体構造に近接して配置したリーダライタからの電波により前記ＰＴＰ包装体構造の通電回路が反応し、該通電回路の情報をリーダライタが読み取って薬の服用管理及び指導等が行われる。【選択図】図１
2019071950.tif 000002
【特許請求の範囲】
【請求項１】
ＰＴＰ包装体の薬取出し口に対向させて、導電体間に介在させられて、薬の取出し時に該薬により前記導電体間から除去されて、該導電体間に通電回路を形成する絶縁体を設けたことを特徴とするＰＴＰ包装体構造。
【請求項２】
前記通電回路がＲＦＩＤであることを特徴とする請求項１に記載のＰＴＰ包装体構造。
【請求項３】
前記通電回路がアンテナであることを特徴とする請求項１に記載のＰＴＰ包装体構造。
【請求項４】
電池を有することを特徴とする請求項１、２または３に記載のＰＴＰ包装体構造。
【発明の詳細な説明】
【技術分野】
【０００１】
本発明は、ＰＴＰ包装体構造に関する。
【背景技術】
【０００２】
現在、医療現場において多くのＰＴＰ錠剤が患者に処方及び提供されている。しかし、医師が処方及び提供した薬を患者が医師の指示通りに服用したか、否か、は患者に確認することで行われている。
【０００３】
しかしながら、患者が薬の服用を忘れていたり、服用していないにも関わらず服用していると報告する場合もある。このような場合に、医師は処方した薬が適切でなかったと判断して新たな薬を処方することが考えられる。このような事態は患者の病気治療に悪影響を与える可能性があるとともに医療費の高騰を招く怖れがある。
【０００４】
前記事情に鑑み、従来、ＲＦＩＤとＲＦＩＤタグから情報を読み取るリーダライタとを備えた薬剤管理システムが提案されている。該薬剤管理システムにおいて、ＲＦＩＤタグは、格子状に配置された複数のセルを有する薬剤用パッケージに実装されていた。各セルは、破断可能壁およびこの破断可能壁に設けられた切断可能導線によって密閉されている。ＲＦＩＤタグは、切断可能導線の断線を検知してセルに穴か開いたことを検知し、このことから各セルに入っている薬がどのくらい使用されたかを監視していた。このように薬剤管理システムにおいては、ＲＦＩＤが監視して得た監視情報をリーダライタで読み取り、薬の服用管理することが提案されている（特許文献１）。
【０００５】
前記提案では、セルの数に応じて切断可能導線が多くなり、この配線の数の増加に伴って切断可能導線の幅を細くする必要があるため、ＲＦＩＤタグとの接続部分に応力が加わると切断可能導線が断線しやすくなり、この結果、薬の服用数を検知するときの信頼性が低くなるという課題に鑑み、第１の切断可能導線と第２の切断可能導線のいずれか１つの結線が切断されるごとにサブキャリアの周波数を変化させる薬剤包装材が提案されている（特許文献２）。
【先行技術文献】
【特許文献】
【０００６】
【特許文献１】特表２００５−５３９３００号公報
【特許文献２】特開２０１０−７５２２７号公報
【発明の概要】
【発明が解決しようとする課題】
【０００７】
前記従来の薬剤管理システムおよび薬剤包装材は、いずれも薬の取出し（服用）時に切断可能導線が切断され、該切断可能導線の切断を検知して薬の取出し（服用）を確認する構成である。すなわち、前記切断可能導線に常に電流を供給して、断線に伴う供給電流の遮断を検知して薬の取出し（服用）の情報を得るものである。したがって、電流の供給管理に十分に留意する必要があった。
【０００８】
本発明は前述のような従来の問題点を解消するものであり、常に電流を供給する必要がなく、薬の取出し（服用）時に自動的に電流が供給されてリアルタイムに薬の取出し（服用）検知でき、したがって、電流の供給管理に留意する必要がないＰＴＰ包装体構造を提供することを目的とする。  
【課題を解決するための手段】
【０００９】
本発明の係るＰＴＰ包装体構造は、ＰＴＰ包装体の薬取出し口に対向させて、導電体間に絶縁体が介在させられて、薬の取出し時に該薬により前記導電体間から除去されて、該導電体間に通電回路を形成する絶縁体を設けたことを特徴とする（請求項1）。
【００１０】
前記ＰＴＰ包装体構造による薬の取出し（服用）情報は、該ＰＴＰ包装体構造に近接して配置したリーダライタからの電波により前記ＰＴＰ包装体構造の通電回路が反応し、該通電回路の情報をリーダライタが読み取って薬の服用管理及び指導等が行われる。ここでは前記ＰＴＰ包装体構造とリーダライタとが無接触の状態で情報の交換が行われＰＴＰ包装構造は電池を必要としない。
【００１１】
本発明の実施の一形態は、前記通電回路がＲＦＩＤであることを特徴とする（請求項２）。この実施の一形態によれば、薬およびその服用に関する情報、患者およびその他の情報をＲＦＩＤに記録しておくことにより、リーダライタにより前記の情報を読み取って服用管理及び指導等が行われる。
【００１２】
本発明の実施の一形態は、前記通電回路がアンテナであることを特徴とする（請求項３）。この実施の一形態によれば、薬の取出し（服用）情報をアンテナを介して電波により隣室、薬局、病院、その他情報を必要とする各所に送ることができる。
【００１３】
本発明の実施の一形態は、前記ＰＴＰ包装体構造が電池を有することを特徴とする（請求項４）。この実施の一形態によれば、薬の取出し（服用）情報を各種の通信手段を用いて直接、隣室、薬局、病院、その他の各所に送ることができる。
【発明の効果】
【００１４】
本発明によれば、常に電流を供給する必要がなく、薬の取出し（服用）を検知でき、したがって、電流の供給管理に留意をする必要がない効果が得られる。
【図面の簡単な説明】
【００１５】
【図１】本発明の実施の一形態を示すＰＴＰ包装体構造の説明図である。
【図２】図１のＰＴＰ包装体構造から薬を取り出した状態を示す説明図である。
【図３】通電回路の一実施例を示す説明図である。
【図４】ＰＴＰ包装体の断面図である。
【図５】ＰＴＰシートの斜視図である。
【図６】通電回路の一実施例を示す説明図である。
【発明を実施するための形態】
【００１６】
以下、図面を参照して、本発明の実施の一形態について説明する。  図５はＰＴＰシート５であり、その表面には複数のＰＴＰ包装体２１が並列配置されている。
【００１７】
ＰＴＰ包装体２１は、図４に示すように、錠剤２２が置かれる底部シート２３と該底部シート２３上に置かれた前記錠剤２２を上方から包み込む半円状部を有する上部シート２４とで構成されている。
【００１８】
前記底部シート２３はアルミ箔などの容易に破ることができる素材であり、前記上部シート２４を指で押圧すると錠剤２２の下降によって破れて該錠剤２２を取り出すことができる。したがって、前記錠剤２２の取出し口２５は底部シート２３部である。
【００１９】
本発明のＰＴＰ包装体構造Ａは、図１に示すように、前記ＰＴＰ包装体２１の錠剤２２の取出し口２５に対向させて、絶縁体１を介在させた導電体２、２が設けられる。前記絶縁体１は可撓性のシート等からなり、その一端部１ａが前記導電体２、２の間から抜き取りできるように挟持されている。一方、他端部１ｂは固定されている。また、前記導電体２、２も可撓性を有する。なお、導電体２、２は線体であってもよい。図中、３、３は配線である。
【００２０】
図２に前記ＰＴＰ包装体２１から錠剤２２を取り出す状態を示す。該錠剤２２の取り出しは、前記ＰＴＰ包装体２１を形成する上部シート２４を指で押圧することによって行われる。
【００２１】
本発明では、前記ＰＴＰ包装体２１の上部シート２４を指で押圧すると、内部の錠剤２２がＰＴＰ包装体２１の底部シート２３を破り、同時に取出し口２５が形成される。続いて錠剤２２が前記絶縁体１と導電体２、２との重合部を押圧する。
【００２２】
その結果、前記絶縁体１と前記導電体２、２との重合部が下方に撓み前記導電体２、２間に挟持されていた絶縁体１の一端部１ａが前記導電体２、２間から抜き取られ導電体２、２が接続して図３に示す通電回路４が形成される。
【００２３】
同時に前記錠剤２２が前記絶縁体１と前記導電体２、２間に形成された隙間から錠剤２２が外へ取り出されて服用が行われる。すなわち、前記導電体２、２の接続によって薬の取出し（服用）が確認される。
【００２４】
つぎに、前記ＰＴＰ包装体構造が電池を有する実施の一形態を説明する。この実施例では、図６に示すように、前記図３に示した通電回路中に電池６が介在させられる。同図中の他の符号は図３と同様である。
【００２５】
なお、前記通電回路４は、薬の取出し（服用）の検知に限らず、ＲＦＩＤ、アンテナ、その他目的に応じて機能を発揮するものでもよい。図３及び図６において、１が絶縁体、２、２が導電体、３、３が配線である。
【産業上の利用可能性】
【００２６】
常に電流を供給する必要がなく、薬の取出し（服用）をリアルタイムに検知することが可能でありＰＴＰ包装体構造として有用である。なお、本発明のＰＴＰ包装体構造は再利用も可能である。
【符号の説明】
【００２７】
１      絶縁体２、２  導電体３、３  配線４      通電回路５      ＰＴＰシート６      電池２１    ＰＴＰ包装体２５    薬の取出し口Ａ      ＰＴＰ包装体構造
【図１】
2019071950.tif 000003
【図２】
2019071950.tif 000004
【図３】
2019071950.tif 000005
【図４】
2019071950.tif 000006
【図５】
2019071950.tif 000007
【図６】
2019071950.tif 000008